(57)【要約】【課題】傘の柄に装着することにより、使用者が、傘の柄をしっかりと把持できるとともに、自己の傘を他者の傘から容易に識別できる、傘の柄カバーを提供する。【解決手段】傘の柄に用いられる柄カバー１であって、伸縮性を有し、先端部２ａが塞がっており且つ基端部２ｂが開いている筒状体であり、傘の柄１００の先端１０１が基端部２ｂから先端部２ａに向けて挿入されていくことによって、傘の柄１００の全体を被覆する、被覆部２と、自他識別機能を発揮する、識別部３と、を有することを特徴とする。【選択図】図４
2011030650.tif 000002
【特許請求の範囲】
【請求項１】
傘の柄に用いられる柄カバーであって、
伸縮性を有し、先端部が塞がっており且つ基端部が開いている筒状体であり、傘の柄の先端が前記基端部から前記先端部に向けて挿入されていくことによって、傘の柄の全体を被覆する、被覆部と、
自他識別機能を発揮する、識別部と、
を有することを特徴とする、傘の柄カバー。
【請求項２】
被覆部は、無縫製のニット編み物でできている、請求項１記載の傘の柄カバー。
【請求項３】
識別部は、被覆部と一体に設けられており、無縫製のニット編み物でできている、請求項２記載の傘の柄カバー。
【請求項４】
前記ニット編み物は、伸縮性素材で編まれている、請求項２又は３に記載の傘の柄カバー。
【請求項５】
更に、紐部を有しており、
紐部は、被覆部が傘の柄を被覆した状態で、被覆部を傘の柄に巻締め固定できるようになっている、請求項１記載の傘の柄カバー。
【請求項６】
識別部が、被覆部に対して着脱自在である、請求項１記載の傘の柄カバー。
【請求項７】
識別部が、名札である、請求項６記載の傘の柄カバー。
【請求項８】
識別部が、装飾部材からなっている、請求項６記載の傘の柄カバー。
【請求項９】
前記装飾部材が、被覆部の前記先端部に取り付けられている、請求項８記載の傘の柄カバー。
【請求項１０】
前記装飾部材が、被覆部の前記基端部に取り付けられている、請求項８記載の傘の柄カバー。
【請求項１１】
前記装飾部材が、飾り紐であり、
飾り紐は、被覆部が傘の柄を被覆した状態で、且つ、傘を閉じた状態で、傘の骨の先端部を巻締め固定できるようになっている、請求項８記載の傘の柄カバー。
【請求項１２】
被覆部が、蓄光材を含んでいる、請求項１記載の傘の柄カバー。
【発明の詳細な説明】
【技術分野】
【０００１】
本発明は、傘の柄を覆うカバーに関するものである。
【背景技術】
【０００２】
従来、安価で販売されているビニール傘は、柄の部分が、表面が滑らかなプラスチックでできており、雨で濡れたときなど、手が滑って柄を持ちにくいという不具合がある。また、大部分のビニール傘は、ほぼ同じ仕様（柄の部分が白色、傘布の部分が透明）であるため、傘立てに立てた場合に、自己の傘と他者の傘とを混同しやすいという不具合がある。
【発明の概要】
【発明が解決しようとする課題】
【０００３】
したがって、本発明は、傘の柄に装着することにより、使用者が、傘の柄をしっかりと把持できるとともに、自己の傘を他者の傘から容易に識別できる、傘の柄カバーを、提供することを目的とする。
【課題を解決するための手段】
【０００４】
本発明は、傘の柄に用いられる柄カバーであって、伸縮性を有し、先端部が塞がっており且つ基端部が開いている筒状体であり、傘の柄の先端が前記基端部から前記先端部に向けて挿入されていくことによって、傘の柄の全体を被覆する、被覆部と、自他識別機能を発揮する、識別部と、を有することを特徴としている。
【０００５】
本発明は、更に、次のような構成を備えるのが好ましい。
（１）被覆部は、無縫製のニット編み物でできている。
（２）前記構成（１）において、識別部は、被覆部と一体に設けられており、無縫製のニット編み物でできている。
（３）前記構成（１）又は（２）において、前記ニット編み物は、伸縮性素材で編まれている。
（４）更に、紐部を有しており、紐部は、被覆部が傘の柄を被覆した状態で、被覆部を傘の柄に巻締め固定できるようになっている。
（５）識別部が、被覆部に対して着脱自在である。
（６）前記構成（５）において、識別部が、名札である。
（７）前記構成（５）において、識別部が、装飾部材からなっている。
（８）前記構成（７）において、前記装飾部材が、被覆部の前記先端部に取り付けられている。
（９）前記構成（７）において、前記装飾部材が、被覆部の前記基端部に取り付けられている。
（１０）前記構成（７）において、前記装飾部材が、飾り紐であり、飾り紐は、被覆部が傘の柄を被覆した状態で、且つ、傘を閉じた状態で、傘の骨の先端部を巻締め固定できるようになっている。
（１１）被覆部が、蓄光材を含んでいる。
【発明の効果】
【０００６】
本発明によれば、被覆部が伸縮性を有する筒状体であるので、被覆部を傘の柄に装着し易く、しかも、被覆部を傘の柄にしっかりとフィットさせることができる。したがって、使用者は、被覆部によって覆われた傘の柄をしっかりと把持できる。また、識別部を有しているので、使用者は、容易に且つ確実に、自己の傘を他者の傘から識別できる。
【０００７】
前記構成（１）によれば、被覆部がニット編み物でできているので、被覆部は、優れた伸縮性を有することができる。また、被覆部が無縫製で編成されているので、すなわち、被覆部が内部に縫製部を有さないので、被覆部を傘の柄に、より確実にフィットさせることができる。
【０００８】
前記構成（２）によれば、被覆部と識別部とが一体として製作されているので、識別部の紛失を防止できる。
【０００９】
前記構成（３）によれば、被覆部が、更に優れた伸縮性を有することができる。
【００１０】
前記構成（４）によれば、紐部によって、被覆部を、傘の柄に、より確実に固定できる。
【００１１】
前記構成（５）によれば、使用者は、自己の嗜好に合わせて識別部を着脱することができる。
【００１２】
前記構成（６）によれば、識別部が名札であるので、使用者は、容易に、自己の傘を他者の傘から識別できる。
【００１３】
前記構成（７）〜（９）によれば、識別部が装飾部材からなっているので、使用者は、自己の嗜好に合わせた装飾部材を任意に取り替えて、識別部として用いることができる。したがって、使用者は自己の嗜好を満たすことができ、より容易に、自己の傘を他者の傘から識別できる。
【００１４】
前記構成（１０）によれば、飾り紐によって、閉じられた傘の骨を整然とまとめることができるので、傘の閉じた状態を安定して維持できる。
【００１５】
前記構成（１１）によれば、被覆部が発光するので、特に夜間において、使用者は、容易に、自己の傘を他者の傘から識別できる。
【図面の簡単な説明】
【００１６】
【図１】本発明の第１実施形態に係る傘の柄カバーを示す正面図である。
【図２】傘の柄カバーが装着される傘を示す図である。
【図３】紐部を解いた状態の、図１の傘の柄カバーの正面図（Ａ）及び背面図（Ｂ）である。
【図４】図１の傘の柄カバーを傘に装着した状態を示す使用状態図である。
【図５】本発明の第２実施形態に係る傘の柄カバーを傘に装着した状態を示す使用状態図である。
【図６】図５において、識別部を被覆部から取り外した状態を示した図である。
【図７】識別部の正面図（Ａ）及び背面図（Ｂ）である。
【図８】用紙を識別部の開口部に挿入する状態を示した図である。
【図９】本発明の第３実施形態に係る傘の柄カバーを示した図である。
【図１０】図９の傘の柄カバーを傘に装着した状態を示した図である。
【図１１】図９の傘の柄カバーを傘に装着した状態を示した図である。
【図１２（Ａ）】装飾部材を示す図である。
【図１２（Ｂ）】図１２（Ａ）の背面斜視図である。
【図１２（Ｃ）】装飾部材を示す図である。
【図１３】装飾部材を被取付部に取り付けた状態の傘の柄カバーを示した図である。
【図１４】本発明の第４実施形態に係る傘の柄カバーを示す図である。
【図１５】図１４の傘の柄カバーを傘に装着した状態を示す使用状態図である。
【図１６】本発明の第５実施形態に係る傘の柄カバーを示した図である。
【図１７】図１６の傘の柄カバーを傘に装着した状態を示す使用状態図である。
【図１８】図１６の傘の柄カバーを傘に装着した状態を示す使用状態図である。
【図１９（Ａ）】ストラップを示す図である。
【図１９（Ｂ）】ストラップを示す図である。
【図２０】本発明の第６実施形態に係る傘の柄カバーを示した図である。
【図２１】図２０の傘の柄カバーを傘に装着した状態を示す使用状態図である。
【図２２】図２０の傘の柄カバーを傘に装着した状態を示す使用状態図である。
【発明を実施するための形態】
【００１７】
（第１実施形態）
図１は、本発明の第１実施形態に係る傘の柄カバーを示す正面図である。この傘の柄カバー１は、図２に示されるＪ形を有する傘の柄１００に装着される。傘の柄カバー１は、柄１００の全体を被覆する被覆部２と、自他識別機能を発揮する識別部３と、被覆部２を固定するための紐部４１と、を有している。図３の（Ａ）は、紐部４１を解いた状態の柄カバー１の正面図であり、図３の（Ｂ）は、同じく背面図である。図４は、柄カバー１を傘の柄１００に装着した状態を示す正面図である。
【００１８】
被覆部２は、図３の（Ａ）及び（Ｂ）に示される破線Ｘで囲まれた部分であり、この部分は、表面部２Ａと裏面部２Ｂとからなる筒状体に形成されている。被覆部２の先端部２ａは、塞がっており、基端部２ｂは、開いており、開口部２１となっている。この被覆部２によって傘の柄１００を被覆する作業は、次のように行う。すなわち、傘の柄１００の先端１０１を、開口部２１から挿入して先端部２ａに向けて進めて、先端部２ａに至らせるとともに、開口部２１を、傘の柄１００の基端１０２に位置させる。これにより、被覆部２は、傘の柄１００を被覆する。
【００１９】
識別部３は、被覆部２の表面部２Ａの基端側が延長された形態を有しており、したがって、被覆部２と一体となっている。識別部３は、正面視で矩形状を有している。識別部３の表面部３Ａには、透明シート３１が取り付けられている。透明シート３１は、名前を記載した用紙等を、透明シート３１の各辺のいずれかから、例えば辺３１ａから、挿入可能となるように、表面部３Ａに取り付けられている。識別部３は、先端側に貫通孔３８を有している。
【００２０】
紐部４１は、被覆部２の基端部２ｂに形成された紐通し部２４を利用して、被覆部２に取り付けられている。紐通し部２４は、基端部２ｂの円周方向に、複数個形成されている。紐通し部２４は、リング形状を有しており、紐部４１は、紐通し部２４に通されることによって、被覆部２に取り付けられている。そして、図４に示すように、紐部４１は、被覆部２が傘の柄１００を被覆した状態で、被覆部２を傘の柄１００に巻締め固定できるようになっている。
【００２１】
被覆部２は、ホールガーメント（登録商標）によって、一体的に、無縫製のニット編み物として編成されている。ホールガーメント（登録商標）とは、上着で例えると、「身頃と袖とを別々に編んで縫い合わせたり、又は、大きなニット生地を裁断、縫製したりして、ニットウェアをつくる」のではなく、「コンピュータ制御とスライドニードルという編み針とによって、ニットウェアを一体的に編み込む」編成手段のことであり、無縫製ニット編成とも言われる。識別部３は、被覆部２を編成した後に、続けて編成されて、形成されている。
【００２２】
被覆部２は、ニット編み物でできており、それ故、伸縮性を有している。更に、ニット編み物は、伸縮性素材で編まれている。伸縮性素材は、伸縮性糸のみで撚られても良く、又は、伸縮性糸と非伸縮性糸とが混合で撚られても良い。また、異なる複数の種類の伸縮性糸が混合で撚られても良い。伸縮性糸としては、例えば、レーヨン５５％とポリエステル４５％との混合糸（ソロテックス（登録商標）という）が用いられても良い。
【００２３】
被覆部２及び識別部３の伸縮性素材は、蓄光材を含んでいる。蓄光材は、太陽光、蛍光灯（電灯）、ブラックライト等の光を吸収してエネルギーとして蓄え、蓄えたエネルギーを徐々に放出して発光するものであれば良い。蓄光材には、例えば、アルミン酸塩化物系の顔料等が用いられる。
【００２４】
上記構成の傘の柄カバー１によれば、次のような効果を発揮できる。
（１）被覆部２が伸縮性を有しているので、被覆部２を傘の柄１００にフィットさせることができる。したがって、使用者は、被覆部２によって被覆された傘の柄１００をしっかりと把持できる。また、識別部３が名前を記載した用紙等を有しているので、識別部３は、自他識別機能を発揮できる。したがって、使用者は、容易に且つ確実に、自己の傘を他者の傘から識別できる。
【００２５】
（２）被覆部２が伸縮性を有しているので、被覆部２を傘の柄１００に対して容易に着脱させることができる。
【００２６】
（３）被覆部２がニット編み物でできているので、被覆部２は、優れた伸縮性を有することができる。しかも、そのニット編み物が伸縮性素材で編まれているので、被覆部２は、更に優れた伸縮性を有することができる。したがって、柄カバー１は、上記（１）及び（２）の効果を良好に発揮できる。
【００２７】
（４）被覆部２が無縫製で編成されているので、すなわち、被覆部２が縫い目及び継ぎ目を有していないので、傘の柄１００に対して被覆部２を着脱させる際に、邪魔になるものはない。したがって、被覆部２を、傘の柄１００に、より確実にフィットさせることができ、また、被覆部２が傘の柄１００に対して滑るのを防止できる。
【００２８】
（５）被覆部２と識別部３とが一体であるので、識別部３の紛失を防止できる。
【００２９】
（６）紐部４１によって、被覆部２を、傘の柄１００に、より確実に固定できる。
【００３０】
（７）被覆部２が蓄光材を含んでいるので、夜間において被覆部２が発光する。それ故、使用者は、夜間において、容易に、自己の傘を他者の傘から識別できる。更に、夜間において、発光する被覆部２によって、柄カバー１を装着した傘を持った使用者の存在が、示威されるので、夜間における使用者の歩行の安全を向上できる。
【００３１】
（８）識別部３は、先端側に貫通孔３８を有しているので、使用者は、貫通孔３８に、自己の嗜好に合わせた装飾部材等を取り付けることができる。
【００３２】
（第２実施形態）
図５は、本発明の第２実施形態に係る傘の柄カバーを傘に装着した状態を示す使用状態図である。前記第１実施形態と同じ部品及び部分には同じ符号を付し、それらの内容については詳しい説明を省略する。
【００３３】
識別部３は、被覆部２とは別体で構成されており、被覆部２に対して着脱自在となっている。被覆部２は、識別部３が取り付けられるための被取付部２２を有している。被取付部２２は、例えば、ボタンであり、被覆部２の基端部２ｂに縫い付けられている。
【００３４】
図６は、図５において、識別部３を被覆部２から取り外した状態を示している。図７の（Ａ）は識別部３の正面図であり、図７の（Ｂ）は識別部３の背面図である。
【００３５】
図７に示すように、識別部３は、名札３２である。名札３２は、矩形状となっており、周囲が密封されている。そして、名札３２は、名前を記載した用紙等を挿入可能な横孔状の開口部３８を、名札３２の裏面部３２Ｂに有している。名札３２の表面部３２Ａは、挿入された用紙の記載内容が外部から視認可能なように透明となっている。図８は、用紙Ｐを名札３２の開口部３８に挿入する状態を示している。更に、名札３２は、その端部に、被取付部２２であるボタンを通すための縦孔状の取付孔３３を有している。取付孔３３は、名札３２の表面部３２Ａ及び裏面部３２Ｂを貫通するように設けられている。そして、被取付部２２を名札３２の取付孔３３に通すことによって、名札３２は、被覆部２に取り付けられるようになっている。
【００３６】
本実施形態では、名札３２が着脱自在であるので、使用者は、自己の嗜好に合わせて名札３２を着脱することができる。また、識別部３が名札３２であるので、使用者は、自己の傘を他者の傘から容易に識別できる。
【００３７】
（第３実施形態）
図９は、本発明の第３実施形態に係る傘の柄カバーを示した図であり、図１０及び図１１は、図９の傘の柄カバー１を傘に装着した状態を示した図であり、図１０は、被取付部２６を開口部２５に通す前の状態を示しており、図１１は、被取付部２６を開口部２５に通した後の状態を示している。前記第１実施形態及び前記第２実施形態と同じ部品及び部分には同じ符号を付し、それらの内容については詳しい説明を省略する。
【００３８】
図９に示すように、被覆部２は、基端部２ｂに、側方に突出する、突出部２ｃ及び突出部２ｄを有している。突出部２ｃ及び突出部２ｄは正面視で矩形状であり、突出部２ｃには開口部２５が設けられ、突出部２ｄには被取付部２６が設けられている。傘の柄カバー１が傘に装着される際、図１０及び図１１に示すように、被取付部２６は、開口部２５に通され、突出部２ｃと突出部２ｄとが合わさるようになっている。
【００３９】
図１２（Ａ）及び図１２（Ｃ）は、装飾部材であるサイン鋲３４１を示しており、図１２（Ｂ）は、図１２（Ａ）の背面斜視図である。サイン鋲３４１は、被取付部２６に着脱自在となっている。サイン鋲３４１は、図１２（Ｂ）に示すように、雄ねじ部３４２を有している。そして、雄ねじ部３４２は、被取付部２６の雌ねじ部２６１に、ねじ込みによって取り付けられるようになっている。図１３は、サイン鋲３４１を被取付部２６に取り付けた状態の傘の柄カバー１を示している。
【００４０】
本実施形態では、識別部がサイン鋲３４１からなっているので、使用者は、自己の嗜好に合わせた装飾部材を任意に取り替えて、識別部として用いることができる。したがって、使用者は自己の嗜好を満たすことができ、より容易に、自己の傘を他者の傘から識別できる。
【００４１】
本実施形態では、サイン鋲３４１がねじ込みによって被覆部２に取り付けられているが、取り付け手段はねじ込みに限定されず、各種の取り付け手段が採用され得る。
【００４２】
（第４実施形態）
図１４は、本発明の第４実施形態に係る傘の柄カバーを示した図であり、図１５は、図１４の傘の柄カバー１を傘に装着した状態を示す使用状態図である。前記第１実施形態〜前記第３実施形態と同じ部品及び部分には同じ符号を付し、それらの内容については詳しい説明を省略する。被覆部２は、基端部２ｂに開口部２７を有しており、装飾部材であるカフスボタン３４３が、開口部２７に、着脱自在に取り付けられるようになっている。
【００４３】
本実施形態では、識別部がカフスボタン３４３からなっているので、使用者は、自己の嗜好に合わせた装飾部材を任意に取り替えて、識別部として用いることができる。したがって、使用者は自己の嗜好を満たすことができ、より容易に、自己の傘を他者の傘から識別できる。
【００４４】
（第５実施形態）
図１６は、本発明の第５実施形態に係る傘の柄カバーを示した図であり、図１７及び図１８は、図１６の傘の柄カバー１を傘に装着した状態を示す使用状態図である。前記第１実施形態〜前記第４実施形態と同じ部品及び部分には同じ符号を付し、それらの内容については詳しい説明を省略する。
【００４５】
被覆部２は、先端部２ａに、装飾部材が取り付けられる被取付部２３を有している。被取付部２３は、紐等で構成されており、リング形状を有している。装飾部材であるストラップ３５は、チャーム３５１と紐部分３５２とを有しており、紐部分３５２を被取付部２３のリング部分に通すことによって、ストラップ３５は、被取付部２３に、繋ぎ止められるようになっている。図１７は、ストラップ３５の紐部分３５２を被取付部２３のリング部分に通している状態を示しており、図１８は、ストラップ３５を被取付部２３に繋ぎ止めした状態を示している。ストラップ３５のチャーム３５１は、広範囲のデザインを使用可能であり、例えば、図１６及び図１９（Ａ）に示すような図形や、図１９（Ｂ）に示すようなキャラクタ、等を使用可能である。また、図形やキャラクタ等には、図１６及び図１９（Ｂ）に示すように、氏名のイニシャル等を付加することもできる。
【００４６】
本実施形態では、使用者は、自己の嗜好に合わせたストラップ３５を任意に取り替えて、識別部として用いることができる。したがって、使用者は自己の嗜好を満たすことができ、より容易に、自己の傘を他者の傘から識別できる。
【００４７】
（第６実施形態）
図２０は、本発明の第６実施形態に係る傘の柄カバーを示した図であり、図２１及び図２２は、図２０の傘の柄カバー１を傘に装着した状態を示す使用状態図である。前記第１実施形態〜前記第５実施形態と同じ部品及び部分には同じ符号を付し、それらの内容については詳しい説明を省略する。
【００４８】
傘の柄カバー１は、識別部の装飾部材として、飾り紐３７を有している。飾り紐３７は、被覆部２の基端部２ｂに形成された紐通し部２８を利用して、被覆部２に取り付けられている。紐通し部２８は、基端部２ｂの円周方向に、複数個形成されている。紐通し部２８はリング形状を有しており、飾り紐３７は、紐通し部２８に通されることによって、被覆部２に取り付けられている。本実施形態では、飾り紐３７が、自他識別機能を発揮するようになっている。そして、飾り紐３７が取り付けられている、被覆部２の基端部２ｂの内径が、被覆部２の先端部２ａの内径より大きくなるよう、被覆部２が形成されている。図２１は、傘の骨の先端部１１を飾り紐３７によって巻締めする前の状態を示しており、図２２は、傘の骨の先端部１１を飾り紐３７によって巻締めした後の状態を示している。図２１及び図２２に示すように、飾り紐３７は、傘の柄カバー１を傘の柄に装着した状態で、且つ、傘を閉じた状態で、傘の骨の先端部１１を、被覆部２を介して巻締め固定できるようになっている。
【００４９】
本実施形態では、飾り紐３７が傘の骨の先端部１１を巻締め固定できるので、閉じられた傘の骨を整然とまとめることができ、傘の閉じた状態を安定して維持できる。
【００５０】
基端部２ｂの内径が、先端部２ａの内径より大きくなるよう構成されているので、基端部２ｂが傘の骨の先端部１１を覆いやすくなっており、その結果、飾り紐３７は、基端部２ｂを介して傘の骨の先端部１１を容易に巻締め固定できる。
【００５１】
本発明は、上記各実施形態で説明した構成には限定されず、特許請求の範囲に記載した内容を逸脱することなく、当業者が考え得る各種変形例を含むことができる。
【産業上の利用可能性】
【００５２】
本発明は、傘の柄をしっかりと把持でき、且つ、傘の識別性を向上できる、傘の柄カバーを提供できるので、産業上の利用価値が大である。
【符号の説明】
【００５３】
１  傘の柄カバー
２  被覆部  ２Ａ  表面部  ２Ｂ  裏面部  ２ａ  先端部  ２ｂ  基端部
２ｃ  突出部  ２ｄ  突出部
２１  開口部  ２２  被取付部  ２３  被取付部  ２４  紐通し部
２５  開口部  ２６  被取付部  ２６１  雌ねじ部  ２７  開口部  ２８  紐通し部
３  識別部  ３Ａ  表面部  ３Ｂ  裏面部
３１  シート取付部  ３２  名札  ３２Ａ  表面部  ３２Ｂ  裏面部
３３  取付孔  ３４  装飾部材
３４１  サイン鋲  ３４２  雄ねじ部  ３４３  カフスボタン
３５  ストラップ  ３５１  チャーム  ３５２  紐部分
３７  飾り紐  ３８  開口部  
４１  紐部
１００  傘の柄  １０１  先端  １０２  基端
【図１】
2011030650.tif 000003
【図２】
2011030650.tif 000004
【図３】
2011030650.tif 000005
【図４】
2011030650.tif 000006
【図５】
2011030650.tif 000007
【図６】
2011030650.tif 000008
【図７】
2011030650.tif 000009
【図８】
2011030650.tif 000010
【図９】
2011030650.tif 000011
【図１０】
2011030650.tif 000012
【図１１】
2011030650.tif 000013
【図１２（Ａ）】
2011030650.tif 000014
【図１２（Ｂ）】
2011030650.tif 000015
【図１２（Ｃ）】
2011030650.tif 000016
【図１３】
2011030650.tif 000017
【図１４】
2011030650.tif 000018
【図１５】
2011030650.tif 000019
【図１６】
2011030650.tif 000020
【図１７】
2011030650.tif 000021
【図１８】
2011030650.tif 000022
【図１９（Ａ）】
2011030650.tif 000023
【図１９（Ｂ）】
2011030650.tif 000024
【図２０】
2011030650.tif 000025
【図２１】
2011030650.tif 000026
【図２２】
2011030650.tif 000027